【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
直交インパルス性ノイズを除去する装置であって、
所定の同相信号及び第１のインパルス性ノイズを含む入力同相信号を受信し、
フィルタリングされた入力同相信号を生成するように、構成された第１のローパスフィルタと、
所定の直交信号及び第２のインパルス性ノイズを含む入力直交信号を受信し、フィルタリングされた入力直交信号を生成するように、構成された第２のローパスフィルタと、
前記フィルタリングされた同相信号を受信し、
前記フィルタリングされた直交信号を受信し、
前記フィルタリングされた同相信号及び前記フィルタリングされた直交信号に基づき、前記第１のインパルス性ノイズ及び前記第２のインパルス性ノイズと時間同期する制御信号を生成するように、構成されたノイズ検出部と、
前記フィルタリングされた同相信号を受信し、
前記制御信号を受信し、
前記制御信号に基づき、前記フィルタリングされた同相信号から前記第１のインパルス性ノイズを除去して前記所定の同相信号を出力するように、構成された第１のチャネルインパルス性ノイズ除去装置と、
前記フィルタリングされた直交信号を受信し、
前記制御信号を受信し、
前記制御信号に基づき、前記フィルタリングされた直交信号から前記第１のインパルス性ノイズを除去して前記所定の直交信号を出力するように、構成された第２のチャネルインパルス性ノイズ除去装置と、を備える、直交インパルス性ノイズを除去する装置。
【請求項２】
前記ノイズ検出部から受信した前記制御信号の一部に代えて、インパルス性干渉を０次補間器に置き換えた信号から得た機能を用いるように構成された制御インパルス発生装置を更に備える、請求項１に記載の装置。
【請求項３】
前記制御インパルス発生装置は、平滑化フィルタと、リレー回路と、を備え
前記制御インパルス発生装置への入力は、前記平滑化フィルタへの入力であり、前記平滑化フィルタからの出力は、前記リレー回路への入力であり、前記リレー回路からの出力は、前記制御インパルス発生装置からの前記出力である、請求項２に記載の装置。
【請求項４】
前記制御インパルス発生装置は、平滑化フィルタと、リレー回路と、を備え
前記制御インパルス発生装置への入力は、前記平滑化フィルタへの入力であり、
前記平滑化フィルタからの出力は、前記リレー回路への入力であり、
前記リレー回路からの出力は、前記制御インパルス発生装置からの前記出力である、請求項２に記載の装置。
【請求項５】
前記第１のチャネルインパルス性ノイズ除去装置及び前記第２のチャネルインパルス性ノイズ除去装置のそれぞれは、
第１の遅延回路であって、少なくとも１つの入力及び少なくとも１つの出力を有し、前記第１の遅延回路への前記少なくとも１つの入力が、前記同相チャネルインパルス性ノイズ除去装置及び前記直交チャネルインパルス性ノイズ除去装置のそれぞれへの前記入力であり、前記第１の遅延回路からの前記少なくとも１つの出力が、前記第２の遅延回路及び前記被制御補間器のそれぞれへの入力である、第１の遅延回路と、
第２の遅延回路であって、少なくとも１つの入力及び少なくとも１つの出力を有し、前記第２の遅延回路への前記少なくとも１つの入力が、前記第１の遅延回路からの出力であり、前記第２の遅延回路からの前記少なくとも１つの出力が、前記スイッチへの入力である、第２の遅延回路と、
被制御補間器であって、複数の入力及び少なくとも１つの出力を有し、前記被制御補間器への前記複数の入力の前記少なくとも１つが、前記第１の遅延回路からの出力であり、前記被制御補間器への前記複数の入力の前記少なくとも他の１つが、前記ノイズ検出部からの入力であり、前記被制御補間器からの前記少なくとも１つの出力が、前記平滑化フィルタへの入力である、被制御補間器と、
平滑化フィルタであって、少なくとも１つの入力及び少なくとも１つの出力を有し、前記平滑化フィルタへの前記少なくとも１つの入力が、前記被制御補間器からの前記出力であり、前記平滑化フィルタからの前記少なくとも１つの出力が、前記スイッチへの入力である、平滑化フィルタと、
スイッチであって、複数の入力及び少なくとも１つの出力を有し、前記スイッチへの前記複数の入力の第１が、前記第２の遅延回路からの出力であり、前記スイッチへの前記複数の入力の第２が、前記平滑化フィルタからの出力であり、前記スイッチへの前記複数の入力の第３が、前記制御インパルス発生装置からの出力であり、前記スイッチからの前記少なくとも１つの出力が、前記同相チャネルインパルス性ノイズ除去装置及び前記直交チャネルインパルス性ノイズ除去装置のそれぞれからの出力である、スイッチと、を備える、請求項１に記載の装置。
【請求項６】
前記被制御補間器は、サンプルホールド部及びスイッチを有し、前記サンプルホールド部は、複数の入力及び少なくとも１つの出力を有し、前記サンプルホールド部への前記複数の入力の少なくとも１つは、前記被制御補間器への第１の入力であり、前記サンプルホールド部への前記複数の入力の少なくとも他の１つは、前記被制御補間器への第２の入力であり、前記サンプルホールド部からの前記少なくとも１つの出力は、前記スイッチへの第１の入力であり、前記スイッチは、複数の入力及び少なくとも１つの出力を有し、前記スイッチへの前記複数の入力の第１は、前記サンプルホールド部の前記少なくとも１つの出力であり、前記スイッチへの前記複数の入力の第２は、前記被制御補間器への前記第１の入力であり、前記スイッチへの前記複数の入力の第３は、前記被制御補間器への前記第２の入力である、請求項５に記載の装置。
【請求項７】
前記ノイズ検出部は、
閾値生成部と、
論理ブロックと、
第１のチャネル及び第２のチャネルであって、前記第１のチャネル及び前記第２のチャネルのそれぞれが、係数算出部、コンパレータ、及びインパルス発生装置を備え、前記第１のチャネル及び前記第２のチャネルのそれぞれが、前記論理ブロックに接続され、前記閾値生成部の出力が、前記第１のチャネル及び前記第２のチャネルの各コンパレータへの少なくとも１つの入力である、第１のチャネル及び第２のチャネルと、を備える、請求項１に記載の装置。
【請求項８】
前記第１のチャネル及び前記第２のチャネルのそれぞれの前記インパルス発生装置は、バックエッジ発生装置と、遅延部と、第１の論理ブロックと、第２の論理ブロックと、トリガと、を備え、前記インパルス発生装置への前記入力は、前記バックエッジ発生装置、前記第１の論理ブロック、及び前記トリガへの少なくとも１つの入力であり、前記バックエッジ発生装置からの出力は、前記遅延部への入力であり、前記遅延部からの出力は、前記第２の論理ブロックへの第１の入力であり、前記第２の論理ブロックからの出力は前記トリガへの入力であり、前記トリガからの前記出力は、前記第１のチャネル及び前記第２のチャネルのそれぞれの前記インパルス発生装置からの前記出力であり、前記第１の論理ブロックからの出力は、前記第２の論理ブロックへの第２の入力である、請求項７に記載の装置。
【請求項９】
前記遅延部は、
複数のトリガと、
複数の論理ブロックと、
バックエッジ発生装置と、
複数のフロントエッジ発生装置と、
複数の遅延回路と、を備え、前記遅延部への前記入力は、前記複数のトリガへの入力であり、前記複数のトリガの第１からの出力は、（ｉ）前記複数の論理ブロックの第１及び（ｉｉ）前記複数のフロントエッジ発生装置の第１を介した前記複数の遅延回路の第１への入力であり、前記複数の遅延回路の前記第１からの出力は、前記複数のトリガの前記第１への第２の入力であり、
前記複数のトリガの第２からの出力は、（ｉ）前記複数の論理ブロックの前記第１及び（ｉｉ）順次に接続された前記複数のフロントエッジ発生装置の第２及び前記複数の遅延回路の第２を介した前記複数の論理ブロックの前記第２への入力であり、前記複数の論理ブロックの前記第２は、前記複数のフロントエッジ発生装置の前記第１からの第２の入力を有し、前記複数の論理ブロックの前記第２からの出力は、前記複数のトリガの前記第２への入力であり、前記複数の論理ブロックの前記第１からの出力は、前記バックエッジ発生装置への入力であり、前記バックエッジ発生装置からの前記出力は、前記遅延部からの前記出力である、請求項８に記載の装置。
【請求項１０】
前記複数のフロントエッジ発生装置のそれぞれは、
遅延回路と、
複数の論理部と、を備え、前記フロントエッジ発生装置への前記入力は、前記遅延回路及び前記複数の論理部のそれぞれへの入力であり、前記遅延回路からの出力は、前記複数の論理部の第１への入力であり、前記複数の論理部の前記第１からの出力は、前記複数の論理部の前記第２への入力であり、前記複数の論理部の前記第２からの出力は、前記複数のフロントエッジ発生装置のそれぞれからの前記出力である、請求項９に記載の装置。
【請求項１１】
前記複数のバックエッジ発生装置のそれぞれは、
遅延回路と、
複数の論理部と、を備え、前記複数のバックエッジ発生装置のそれぞれへの前記入力は、（ｉ）前記遅延回路への入力及び（ｉｉ）前記複数の論理部の第１への前記複数の入力の第１であり、前記遅延回路からの出力は、前記複数の論理部の前記第１への前記複数の入力の第２であり、前記複数の論理部の前記第１からの出力は、前記複数の論理部の前記第２への前記複数の入力の第１であり、前記遅延回路からの前記出力は、前記複数の論理部の前記第２への前記複数の入力の第２であり、前記複数の論理部の前記第２からの出力は、前記複数のバックエッジ発生装置のそれぞれからの前記出力である、請求項９に記載の装置。
【請求項１２】
直交インパルス性ノイズを除去する装置であって、
所定の同相信号及び第１のインパルス性ノイズを含む入力同相信号を受信し、
フィルタリングされた入力同相信号を生成するように、構成された第１のローパスフィルタと、
所定の直交信号及び第２のインパルス性ノイズを含む入力直交信号を受信し、フィルタリングされた入力直交信号を生成するように、構成された第２のローパスフィルタと、
前記フィルタリングされた同相信号を受信し、
前記フィルタリングされた直交信号を受信し、
前記フィルタリングされた同相信号及び前記フィルタリングされた直交信号に基づき、制御信号を生成するように、構成されたノイズ検出部と、
前記フィルタリングされた同相信号を受信し、
前記制御信号を受信し、
前記制御信号に基づき、前記フィルタリングされた同相信号から前記第１のインパルス性ノイズを除去して前記所定の同相信号を出力するように、構成された第１のチャネルインパルス性ノイズ除去装置と、
前記フィルタリングされた直交信号を受信し、
前記制御信号を受信し、
前記制御信号に基づき、前記フィルタリングされた直交信号から前記第１のインパルス性ノイズを除去して前記所定の直交信号を出力するように、構成された第２のチャネルインパルス性ノイズ除去装置と、を備え、
前記第１のチャネルインパルス性ノイズ除去装置及び前記第２のチャネルインパルス性ノイズ除去装置のそれぞれは、
遅延回路であって、少なくとも１つの入力及び少なくとも１つの出力を有し、前記遅延回路への前記少なくとも１つの入力が、前記同相チャネルインパルス性ノイズ除去装置及び前記直交チャネルインパルス性ノイズ除去装置のそれぞれへの前記入力である、遅延回路と、
被制御補間器であって、複数の入力及び少なくとも１つの出力を有し、前記被制御補間器への前記複数の入力の少なくとも１つが、前記遅延回路からの前記少なくとも１つの出力であり、前記被制御補間器への前記複数の入力の少なくとも他の１つが、少なくとも１つの他のソースからの出力であり、前記被制御補間器からの前記少なくとも１つの出力が、前記同相チャネルインパルス性ノイズ除去装置及び前記直交チャネルインパルス性ノイズ除去装置のそれぞれからの前記出力である、被制御補間器と、を備える、直交インパルス性ノイズを除去する装置。
【請求項１３】
直交インパルス性ノイズを除去する方法であって、
第１のローパスフィルタが、所定の同相信号及び第１のインパルス性ノイズを有する入力同相信号を受信する工程と、
前記第１のローパスフィルタが、フィルタリングされた入力同相信号を生成する工程と、
第２のローパスフィルタが、所定の直交信号及び第２のインパルス性ノイズを有する入力直交信号を受信する工程と、
前記第２のローパスフィルタが、フィルタリングされた入力直交信号を生成する工程と、
ノイズ検出部が、前記フィルタリングされた同相信号及び前記フィルタリングされた直交信号を受信する工程と、
前記フィルタリングされた同相信号及び前記フィルタリングされた直交信号に基づき、前記ノイズ検出部が、前記第１のインパルス性ノイズ及び前記第２のインパルス性ノイズと時間同期する制御信号を生成する工程と、
第１のチャネルインパルス性ノイズ除去装置が、前記フィルタリングされた同相信号及び前記制御信号を受信する工程と、
前記制御信号に基づき、前記第１のチャネルインパルス性ノイズ除去装置が、前記フィルタリングされた同相信号から前記第１のインパルス性ノイズを除去して前記所定の同相信号を出力する工程と、
第２のチャネルインパルス性ノイズ除去装置が、前記フィルタリングされた直交信号を受信する工程と、
前記第２のチャネルインパルス性ノイズ除去装置が、前記制御信号を受信する工程と、
前記制御信号に基づき、前記第２のチャネルインパルス性ノイズ除去装置が、前記フィルタリングされた直交信号から前記第１のインパルス性ノイズを除去して前記所定の直交信号を出力する工程と、を含む、方法。
【請求項１４】
前記受信信号の一部に代えて、０次補間によって補償されたインパルス性干渉を含む信号から得た機能を用いることにより、制御インパルス発生装置が２次制御信号を生成する工程を更に含む、請求項１３に記載の方法。
【請求項１５】
前記第１のチャネルインパルス性ノイズ除去装置及び前記第２のチャネルインパルス性ノイズ除去装置のそれぞれは、
第１の遅延回路であって、少なくとも１つの入力及び少なくとも１つの出力を有し、前記第１の遅延回路への前記少なくとも１つの入力が、前記同相チャネルインパルス性ノイズ除去装置及び前記直交チャネルインパルス性ノイズ除去装置のそれぞれへの前記入力であり、前記第１の遅延回路からの前記少なくとも１つの出力が、前記第２の遅延回路及び前記被制御補間器のそれぞれへの入力である、第１の遅延回路と、
第２の遅延回路であって、少なくとも１つの入力及び少なくとも１つの出力を有し、前記第２の遅延回路への前記少なくとも１つの入力が、前記第１の遅延回路からの出力であり、前記第２の遅延回路からの前記少なくとも１つの出力が、前記スイッチへの入力である、第２の遅延回路と、
被制御補間器であって、複数の入力及び少なくとも１つの出力を有し、前記被制御補間器への前記複数の入力の前記少なくとも１つが、前記第１の遅延回路からの出力であり、前記被制御補間器への前記複数の入力の前記少なくとも他の１つが、前記ノイズ検出部からの入力であり、前記被制御補間器からの前記少なくとも１つの出力が、前記平滑化フィルタへの入力である、被制御補間器と、
平滑化フィルタであって、少なくとも１つの入力及び少なくとも１つの出力を有し、前記平滑化フィルタへの前記少なくとも１つの入力が、前記被制御補間器からの前記出力であり、前記平滑化フィルタからの前記少なくとも１つの出力が、前記スイッチへの入力である、平滑化フィルタと、
スイッチであって、複数の入力及び少なくとも１つの出力を有し、前記スイッチへの前記複数の入力の第１が、前記第２の遅延回路からの出力であり、前記スイッチへの前記複数の入力の第２が、前記平滑化フィルタからの出力であり、前記スイッチへの前記複数の入力の第３が、前記制御インパルス発生装置からの出力であり、前記スイッチからの前記少なくとも１つの出力が、前記同相チャネルインパルス性ノイズ除去装置及び前記直交チャネルインパルス性ノイズ除去装置のそれぞれからの出力である、スイッチと、を備える、請求項１３に記載の方法。
【請求項１６】
前記被制御補間器は、サンプルホールド部及びスイッチを備え、前記サンプルホールド部は、複数の入力及び少なくとも１つの出力を有し、前記サンプルホールド部への前記複数の入力の少なくとも１つは、前記被制御補間器への第１の入力であり、前記サンプルホールド部への前記複数の入力の少なくとも他の１つは、前記被制御補間器への第２の入力であり、前記サンプルホールド部からの前記少なくとも１つの出力は、前記スイッチへの第１の入力であり、前記スイッチは、複数の入力及び少なくとも１つの出力を有し、前記スイッチへの前記複数の入力の第１は、前記サンプルホールド部の前記少なくとも１つの出力であり、前記スイッチへの前記複数の入力の第２は、前記被制御補間器への前記第１の入力であり、前記スイッチへの前記複数の入力の第３は、前記被制御補間器への前記第２の入力である、請求項１５に記載の方法。
【請求項１７】
前記ノイズ検出部は、
閾値生成部と、
論理ブロックと、
第１のチャネル及び第２のチャネルであって、前記第１のチャネル及び前記第２のチャネルのそれぞれが、係数算出部、コンパレータ、及びインパルス発生装置を備え、前記第１のチャネル及び前記第２のチャネルのそれぞれが、前記論理ブロックに接続され、前記閾値生成部の出力が、前記第１のチャネル及び前記第２のチャネルの各コンパレータへの少なくとも１つの入力である、第１のチャネル及び第２のチャネルと、を備える、請求項１３に記載の方法。
【請求項１８】
前記第１のチャネル及び前記第２のチャネルのそれぞれの前記インパルス発生装置は、バックエッジ発生装置と、遅延部と、第１の論理ブロックと、第２の論理ブロックと、トリガと、を備え、前記インパルス発生装置への前記入力は、前記バックエッジ発生装置、前記第１の論理ブロック、及び前記トリガへの少なくとも１つの入力であり、前記バックエッジ発生装置からの出力は、前記遅延部への入力であり、前記遅延部からの出力は、前記第２の論理ブロックへの第１の入力であり、前記第２の論理ブロックからの出力は前記トリガへの入力であり、前記トリガからの前記出力は、前記第１のチャネル及び前記第２のチャネルのそれぞれの前記インパルス発生装置からの前記出力であり、前記第１の論理ブロックからの出力は、前記第２の論理ブロックへの第２の入力である、請求項１７に記載の方法。
【請求項１９】
前記遅延部は、
複数のトリガと、
複数の論理ブロックと、
バックエッジ発生装置と、
複数のフロントエッジ発生装置と、
複数の遅延回路と、を有し、前記遅延部への前記入力は、前記複数のトリガへの入力であり、前記複数のトリガの第１からの出力は、（ｉ）前記複数の論理ブロックの第１及び（ｉｉ）前記複数のフロントエッジ発生装置の第１を介した前記複数の遅延回路の第１への入力であり、
前記複数の遅延回路の前記第１からの出力は、前記複数のトリガの前記第１への第２の入力であり、
前記複数のトリガの第２からの出力は、（ｉ）前記複数の論理ブロックの前記第１及び（ｉｉ）順次に接続された前記複数のフロントエッジ発生装置の第２及び前記複数の遅延回路の第２を介した前記複数の論理ブロックの前記第２への入力であり、前記複数の論理ブロックの前記第２は、前記複数のフロントエッジ発生装置の前記第１からの第２の入力を有し、前記複数の論理ブロックの前記第２からの出力は、前記複数のトリガの前記第２への入力であり、前記複数の論理ブロックの前記第１からの出力は、前記バックエッジ発生装置への入力であり、前記バックエッジ発生装置からの前記出力は、前記遅延部からの前記出力である、請求項１８に記載の方法。
【請求項２０】
前記複数のフロントエッジ発生装置のそれぞれは、
遅延回路と、
複数の論理部と、を備え、前記フロントエッジ発生装置への前記入力は、前記遅延回路及び前記複数の論理部のそれぞれへの入力であり、前記遅延回路からの出力は、前記複数の論理部の第１への入力であり、前記複数の論理部の前記第１からの出力は、前記複数の論理部の前記第２への入力であり、前記複数の論理部の前記第２からの出力は、前記複数のフロントエッジ発生装置のそれぞれからの前記出力である、請求項１９に記載の方法。
【請求項２１】
前記バックエッジ発生装置のそれぞれは、
遅延回路と、
複数の論理部と、を備え、前記複数のバックエッジ発生装置のそれぞれへの前記入力は、（ｉ）前記遅延回路への入力及び（ｉｉ）前記複数の論理部の第１への前記複数の入力の第１であり、前記遅延回路からの出力は、前記複数の論理部の前記第１への前記複数の入力の第２であり、前記複数の論理部の前記第１からの出力は、前記複数の論理部の前記第２への前記複数の入力の第１であり、前記遅延回路からの前記出力は、前記複数の論理部の前記第２への前記複数の入力の第２であり、前記複数の論理部の前記第２からの出力は、前記複数のバックエッジ発生装置のそれぞれからの前記出力である、請求項１９に記載の方法。
【請求項２２】
直交インパルス性ノイズを除去する方法であって、
第１のローパスフィルタが、所定の同相信号及び第１のインパルス性ノイズを有する入力同相信号を受信する工程と、
前記第１のローパスフィルタが、フィルタリングされた入力同相信号を生成する工程と、
第２のローパスフィルタが、所定の直交信号及び第２のインパルス性ノイズを有する入力直交信号を受信する工程と、
前記第２のローパスフィルタが、フィルタリングされた入力直交信号を生成する工程と、
ノイズ検出部が、前記フィルタリングされた同相信号及び前記フィルタリングされた直交信号を受信する工程と、
前記フィルタリングされた同相信号及び前記フィルタリングされた直交信号に基づき、前記ノイズ検出部が、前記第１のインパルス性ノイズ及び前記第２のインパルス性ノイズと時間同期する制御信号を生成する工程と、
第１のチャネルインパルス性ノイズ除去装置が、前記フィルタリングされた同相信号及び前記制御信号を受信する工程と、
前記制御信号に基づき、前記第１のチャネルインパルス性ノイズ除去装置が、前記フィルタリングされた同相信号から前記第１のインパルス性ノイズを除去して前記所定の同相信号を出力する工程と、
第２のチャネルインパルス性ノイズ除去装置が、前記フィルタリングされた直交信号を受信する工程と、
前記第２のチャネルインパルス性ノイズ除去装置が、前記制御信号を受信する工程と、
前記制御信号に基づき、前記第２のチャネルインパルス性ノイズ除去装置が、前記フィルタリングされた直交信号から前記第１のインパルス性ノイズを除去して前記所定の直交信号を出力する工程と、を含み、
前記第１のチャネルインパルス性ノイズ除去装置及び前記第２のチャネルインパルス性ノイズ除去装置のそれぞれは、
遅延回路であって、少なくとも１つの入力及び少なくとも１つの出力を有し、前記遅延回路への前記少なくとも１つの入力が、前記同相チャネルインパルス性ノイズ除去装置及び前記直交チャネルインパルス性ノイズ除去装置のそれぞれへの前記入力である、遅延回路と、
被制御補間器であって、複数の入力及び少なくとも１つの出力を有し、前記被制御補間器への前記複数の入力の少なくとも１つが、前記遅延回路からの前記少なくとも１つの出力であり、前記被制御補間器への前記複数の入力の少なくとも他の１つが、少なくとも１つの他のソースからの出力であり、前記被制御補間器からの前記少なくとも１つの出力が、前記同相チャネルインパルス性ノイズ除去装置及び前記直交チャネルインパルス性ノイズ除去装置のそれぞれからの前記出力である、被制御補間器と、を備える、方法。